(57)【特許請求の範囲】
【請求項１】
宅配会社での宅配関連情報を一元管理するオーガニゼーション・サーバと全世界において所定領域をカバーするドメイン・サーバ群と各ドメイン・サーバに管理される集配端末群と不特定多数のクライアント端末群とが通信網を介して接続されるシステムにおいて、
前記オーガニゼーション・サーバは、前記不特定多数のクライアント端末群からの荷物の配達依頼メッセージを受信する手段と、
前記クライアント端末群から配達依頼に関する情報を収集する手段と、
前記情報内の要求セキュリティレベル、要求集配日と時刻、要求配達日と時刻、要求損害賠償要求額等から配達料金を算出し、前記クライアントに通知する手段と、
前記クライアント端末と配達料金等についてネゴシエーションする手段と、
前記ネゴシエーションで前記クライアントと合意した場合、配達依頼のクライアント端末に配達荷物の受取人を認証する為の割り符情報を発行する手段と、
前記発行された割り符情報を配達依頼のクライアント毎に記憶部に登録する手段と、
前記発行された割り符情報を前記配達依頼のクライアント端末に送信する手段と、
前記配達依頼のクライアントからの前記配達依頼に関する情報内の配達宛先のクライアントに対し、配達人と配達される荷物とを認証する為の割り符情報を発行する手段と、
前記発行された割り符情報を前記配達依頼のクライアント毎に記憶部に登録する手段と、
前記発行された割り符情報を前記配達宛先クライアントのメールアドレスに送信する手段と、
前記情報内の前記配達宛先クライアントのアドレス情報と、前記配達依頼のクライアントのアドレス情報とから最適な配送ルートを選定する手段と、
前記配達依頼のクライアント及び前記配達宛先のクライアントのアドレス領域をカバーする各々の前記ドメイン・サーバに対し、管理下の集配人群から前記配達依頼のクライアントと前記配達宛先のクライアントに荷物の集配を行う最適な担当を各々アサインすることを指示する手段と、
各々の前記ドメイン・サーバから前記配達依頼のクライアントから荷物を受け取る集配人と前記配達荷物の配達宛先のクライアントに荷物を引き渡す集配人の情報を各々受信する手段と、
各々の前記ドメイン・サーバを介して、各々の前記集配端末に対し、前記配達依頼のクライアントを認証する為の割り符と前記配達荷物を引き渡すクライアントを認証する為の割り符を発行する手段と、
前記発行された割り符情報を配達依頼のクライアント毎に記憶部に登録する手段と、
前記発行された割り符情報を前記各々の集配端末に対し送信する手段と、
を備え、
前記ドメイン・サーバは、前記オーガニゼーション・サーバから前記配達依頼のクライアントのアドレスと前記集配指定日と前記時刻情報とから、前記荷物の集配を行う最適な担当をアサインすることを指示された場合、前記管理下の集配人群の集配ルートから、集配に最適な前記集配人を選定する手段と、
前記オーガニゼーション・サーバから発行された前記集配人宛の割り符情報を管理・中継し、前記集配端末に送信する手段と、
前記集配端末に前記配達依頼のクライアントのアドレスと集配指定日と時刻情報を管理し、前記集配端末に送信する手段と、
前記オーガニゼーション・サーバから前記配達依頼のクライアントからの配達依頼情報内の配達宛先のクライアントのアドレスと配達指定日と時刻情報とから、荷物の配達を行う最適な担当をアサインすることを指示された場合、前記管理下の前記集配人群の配達ルートから、配達に最適な前記集配人を選定する手段と、
前記オーガニゼーション・サーバから発行された前記配達人宛の割り符情報を管理・中継し、前記集配端末に送信する手段と、
前記集配端末に前記配達依頼の宛先クライアントのアドレスと配達指定日と時刻情報を管理し、前記集配端末に送信する手段と、
前記送信情報から各集配端末で行った最適集配ルートとスケジュール情報を各集配端末から受信・管理する手段と、
を備え、
前記集配端末は、前記ドメイン・サーバから前記配達依頼のクライアントのアドレスと集配指定日と時刻情報と割り符情報を受信する手段と、
前記受信情報から最適集配ルートとスケジュールを作成・管理し、前記ドメイン・サーバに報告する手段と、
前記ドメイン・サーバから前記配達依頼の前記クライアントの前記配達依頼情報内の配達宛先アドレスと配達指定日と時刻情報と前記割り符情報を受信する手段と、
前記受信情報から最適集配ルートとスケジュールを作成・管理し、前記ドメイン・サーバに報告する手段と、
を備え、
前記クライアント端末群は、前記オーガニゼーション・サーバに対し荷物の配達依頼メッセージを送信する手段と、
前記オーガニゼーション・サーバに対し荷物の配達依頼の詳細な要求事項をWWWブラウザを介して送信する手段と、
前記オーガニゼーション・サーバから前記配達依頼情報に基づく見積もり情報を受信する手段と、
前記見積もりに対し、前記オーガニゼーション・サーバとネゴシエーションする手段と、
前記オーガニゼーション・サーバから発行・送信された、配達荷物の引き取り人又は配達荷物の配達人を認証する為の割り符情報を受信・管理する手段と、
を備える事を特徴とするデジタル割り符を使用した運送サービスシステム。
【請求項２】
請求項１に記載のデジタル割り符を使用した運送サービスシステムにおいて、
前記オーガニゼーション・サーバが、配送に最適なルートを選定時、各中継ノードを管理するドメイン・サーバと集配端末に対し、前記配達依頼のクライアント毎に配達荷物のID番号と、バーコードを用いた割り符情報を生成する手段と、
前記発行された割り符情報を前記配達依頼のクライアント毎に記憶部に登録する手段と、
前記発行された割り符情報を前記各中継ノードを管理するドメイン・サーバと集配端末に送信する手段と、
前記配達依頼のクライアント毎に集配した前記配達荷物の前記ID番号と前記バーコードとを前記配達依頼のクライアント毎に一元管理記憶する記憶部に登録する手段と、
前記各中継ノード通過時、前記各中継ノードを管理する前記ドメイン・サーバからの通過日時と通過地点を含むロケーション情報を受信し、前記記憶部に登録された前記ID番号で管理されている荷物のロケージョン履歴情報を前記記憶部に更新・登録する手段と、
前記配達依頼のクライアントに対し前記ロケーション情報を自動的にメール送信する手段と、
前記配達依頼のクライアント端末から、前記配達依頼した荷物の現時点でのロケーション情報の問い合わせに対し、前記配達依頼のクライアント毎の各荷物のID番号で前記記憶部を検索し、前記各荷物のロケーション情報を前記配達依頼のクライアント端末に返信する手段と、
を備え、
前記ドメイン・サーバは、前記バーコードから次の中継ノードを判定する手段と、
前記バーコードに指定された前記ルート上の各中継ノードを通過した場合、その旨を前記オーガニゼーション・サーバに報告する手段と、
を備える事を特徴とするデジタル割り符を使用した運送サービスシステム。
【請求項３】
請求項１又は請求項２に記載のデジタル割り符を使用した運送サービスシステムにおいて、
前記オーガニゼーション・サーバは、前記配達宛先クライアントから前記送付された割り符情報で配達の前記集配人と前記配達品を認証した事の通知を受信した場合、前記発行した全ての割り符情報を記憶部から無効とする手段と、
を備え、
前記配達依頼された荷物の受取人であるクライアント端末は、前記配達依頼された荷物に添付された前記配達依頼したクライアントの割り符情報と前記集配人宛の割り符情報と前記配達人宛の割り符情報から前記配達依頼された荷物の配達人と前記配達依頼された荷物とを認証する手段と、
前記認証が完了した場合、前記配達依頼された荷物の受取人であるクライアント端末は、その旨前記割り符発行メールの返信メールで前記オーガニゼーション・サーバにその旨通知する手段と、
を備える事を特徴とするデジタル割り符を使用した運送サービスシステム。
【請求項４】
不特定多数のクライアント端末と集配端末群と中継ノード端末群が通信網を介して接続され、宅配会社での宅配関連情報を一元管理して、デジタル割り符を使用した運送サービスを提供する装置おいて、
前記装置は、前記不特定多数のクライアント端末群からの荷物の配達依頼メッセージを受信する手段と、
前記クライアント端末群から配達依頼に関する情報を収集する手段と、
前記情報内の要求セキュリティレベル、要求集配日と時刻、要求配達日と時刻、要求損害賠償要求額等から配達料金を算出し、前記クライアントに通知する手段と、
前記クライアント端末と配達料金等についてネゴシエーションする手段と、
前記ネゴシエーションで前記クライアントと合意した場合、配達依頼のクライアント端末に配達荷物の受取人を認証する為の割り符情報を発行する手段と、
前記発行された割り符情報を配達依頼のクライアント毎に記憶部に登録する手段と、
前記発行された割り符情報を前記配達依頼のクライアント端末に送信する手段と、
前記配達依頼のクライアントからの前記配達依頼に関する情報内の配達宛先のクライアントに対し、配達人と配達される荷物とを認証する為の割り符情報を発行する手段と、
前記発行された割り符情報を前記配達依頼のクライアント毎に記憶部に登録する手段と、
前記発行された割り符情報を前記配達宛先クライアントのメールアドレスに送信する手段と、
前記情報内の前記配達宛先クライアントのアドレス情報と、前記配達依頼のクライアントのアドレス情報とから最適な配送ルートを選定する手段と、
前記最適な配送ルートから、前記集配端末に対し、前記配達依頼のクライアントを認証する為の割り符と前記配達荷物を引き渡すクライアントを認証する為の割り符を発行する手段と、
前記発行された割り符情報を配達依頼のクライアント毎に記憶部に登録する手段と、
前記発行された割り符情報を前記各々の集配端末に対し送信する手段と、
前記配達宛先クライアントから前記送付された割り符情報で、配達の前記集配人と前記配達品を認証した事の通知を受信した場合、前記発行した全ての割り符情報を記憶部から無効とする手段と、
を備えることを特徴とするデジタル割り符を使用した運送サービス提供装置。
【請求項５】
請求項４に記載のデジタル割り符を使用した運送サービス提供装置において、
前記装置が、配送に最適なルートを選定時、集配端末に対し配達荷物のID番号と、バーコードを用いた割り符情報を生成・管理・送信する手段と、
前記配達依頼のクライアント毎に集配した前記配達荷物の前記ID番号と前記バーコードとを一元管理する手段と、
前記各中継ノード通過時、前記各中継ノードからの通過日時と通過地点を含むロケーション情報を受信し、前記ID番号で管理されている荷物のロケージョン履歴情報を更新・登録する手段と、
前記配達依頼のクライアントに対し前記ロケーション情報を自動的にメール送信する手段と、
前記配達依頼のクライアントから、前記配達依頼した荷物の現時点でのロケーション情報の問い合わせに対し、返信メールで各荷物のID番号とロケーション情報とを返信する手段と、
を備えることを特徴とするデジタル割り符を使用した運送サービス提供装置。
【請求項６】
不特定多数のクライアント端末と集配端末群と中継ノード端末群が通信網を介して接続され、宅配会社での宅配関連情報を一元管理して、デジタル割り符を使用した運送サービスを提供する方法おいて、
前記方法は、前記不特定多数のクライアント端末群からの荷物の配達依頼メッセージを受信するステップと、
前記クライアント端末群から配達依頼に関する情報を収集するステップと、
前記情報内の要求セキュリティレベル、要求集配日と時刻、要求配達日と時刻、要求損害賠償要求額等から配達料金を算出し、前記クライアントに通知するステップと、
前記クライアント端末と配達料金等についてネゴシエーションするステップと、
前記ネゴシエーションで前記クライアントと合意した場合、配達依頼のクライアント端末に配達荷物の受取人を認証する為の割り符情報を発行するステップと、
前記発行された割り符情報を配達依頼のクライアント毎に記憶部に登録するステップと、
前記発行された割り符情報を前記配達依頼のクライアント端末に送信するステップと、
前記配達依頼のクライアントからの前記配達依頼に関する情報内の配達宛先のクライアントに対し、配達人と配達される荷物とを認証する為の割り符情報を発行するステップと、
前記発行された割り符情報を前記配達依頼のクライアント毎に記憶部に登録するステップと、
前記発行された割り符情報を前記配達宛先クライアントのメールアドレスに送信するステップと、
前記情報内の前記配達宛先クライアントのアドレス情報と、前記配達依頼のクライアントのアドレス情報とから最適な配送ルートを選定するステップと、
前記最適な配送ルートから、前記集配端末に対し、前記配達依頼のクライアントを認証する為の割り符と前記配達荷物を引き渡すクライアントを認証する為の割り符を発行するステップと、
前記発行された割り符情報を配達依頼のクライアント毎に記憶部に登録するステップと、
前記発行された割り符情報を前記各々の集配端末に対し送信するステップと、
前記配達宛先クライアントから前記送付された割り符情報で、配達の前記集配人と前記配達品を認証した事の通知を受信した場合、前記発行した全ての割り符情報を記憶部から無効とするステップと、
を備えることを特徴とするデジタル割り符を使用した運送サービス提供方法。
【請求項７】
請求項６に記載のデジタル割り符を使用した運送サービス提供方法において、
前記方法が、配送に最適なルートを選定時、集配端末に対し配達荷物のID番号と、バーコードを用いた割り符情報を生成・管理・送信するステップと、
前記配達依頼のクライアント毎に集配した前記配達荷物の前記ID番号と前記バーコードとを一元管理するステップと、
前記各中継ノード通過時、前記各中継ノードからの通過日時と通過地点を含むロケーション情報を受信し、前記ID番号で管理されている荷物のロケージョン履歴情報を更新・登録するステップと、
前記配達依頼のクライアントに対し前記ロケーション情報を自動的にメール送信するステップと、
前記配達依頼のクライアントから、前記配達依頼した荷物の現時点でのロケーション情報の問い合わせに対し、返信メールで各荷物のID番号とロケーション情報とを返信するステップと、
を備えることを特徴とするデジタル割り符を使用した運送サービス提供方法。
【請求項８】
不特定多数のクライアント端末と集配端末群と中継ノード端末群が通信網を介して接続され、宅配会社での宅配関連情報を一元管理して、デジタル割り符を使用した運送サービスを提供する方法おいて、
前記方法は、前記不特定多数のクライアント端末群からの荷物の配達依頼メッセージを受信するステップと、
前記クライアント端末群から配達依頼に関する情報を収集するステップと、
前記情報内の要求セキュリティレベル、要求集配日と時刻、要求配達日と時刻、要求損害賠償要求額等から配達料金を算出し、前記クライアントに通知するステップと、
前記クライアント端末と配達料金等についてネゴシエーションするステップと、
前記ネゴシエーションで前記クライアントと合意した場合、配達依頼のクライアント端末に配達荷物の受取人を認証する為の割り符情報を発行するステップと、
前記発行された割り符情報を配達依頼のクライアント毎に記憶部に登録するステップと、
前記発行された割り符情報を前記配達依頼のクライアント端末に送信するステップと、
前記配達依頼のクライアントからの前記配達依頼に関する情報内の配達宛先のクライアントに対し、配達人と配達される荷物とを認証する為の割り符情報を発行するステップと、
前記発行された割り符情報を前記配達依頼のクライアント毎に記憶部に登録するステップと、
前記発行された割り符情報を前記配達宛先クライアントのメールアドレスに送信するステップと、
前記情報内の前記配達宛先クライアントのアドレス情報と、前記配達依頼のクライアントのアドレス情報とから最適な配送ルートを選定するステップと、
前記最適な配送ルートから、前記集配端末に対し、前記配達依頼のクライアントを認証する為の割り符と前記配達荷物を引き渡すクライアントを認証する為の割り符を発行するステップと、
前記発行された割り符情報を配達依頼のクライアント毎に記憶部に登録するステップと、
前記発行された割り符情報を前記各々の集配端末に対し送信するステップと、
前記配達宛先クライアントから前記送付された割り符情報で、配達の前記集配人と前記配達品を認証した事の通知を受信した場合、前記発行した全ての割り符情報を記憶部から無効とするステップと、
を備えることを特徴とするデジタル割り符を使用した運送サービス提供方法をコンピュータに実行させるためのプログラム。
【請求項９】
請求項８に記載のプログラムにおいて、
前記プログラムが、配送に最適なルートを選定時、集配端末に対し配達荷物のID番号と、バーコードを用いた割り符情報を生成・管理・送信するステップと、
前記配達依頼のクライアント毎に集配した前記配達荷物の前記ID番号と前記バーコードとを一元管理するステップと、
前記各中継ノード通過時、前記各中継ノードからの通過日時と通過地点を含むロケーション情報を受信し、前記ID番号で管理されている荷物のロケージョン履歴情報を更新・登録するステップと、
前記配達依頼のクライアントに対し前記ロケーション情報を自動的にメール送信するステップと、
前記配達依頼のクライアントから、前記配達依頼した荷物の現時点でのロケーション情報の問い合わせに対し、返信メールで各荷物のID番号とロケーション情報とを返信するステップと、
を備えることを特徴とするプログラム。
【発明の詳細な説明】
【０００１】
【発明の属する技術分野】
デジタル割り符を使用した運送サービスシステムに関する。
【０００２】
【従来の技術】
特開２０００−２５９９７９号公報では、集配計画に従って車両が走行中の車両において、顧客からの集荷依頼に応じて最適な集配計画を適時作成・修正する運行管理システムについて述べられている。
【０００３】
特開平０５−１７０２８４号公報での宅配預かりロッカーシステムでは、配達先が留守の場合に、預かりロッカーに荷物の配達を行う宅配業者が通常携帯している運転免許証を登録し配便荷物を収納する事により、宅配者を特定する事ができる方法による宅配預かりロッカーシステムについて述べられている。
【０００４】
特開平１０−３２２３２５号公報での暗号認証方式では、データの転送経路上での盗難防止及び偽サーバ等の識別の為の公開鍵及び割り符による通信相手の認証方式について述べられている。
【０００５】
特許第２６４１１３１号公報では共同ロッカー装置に関し、共同ロッカーを中間媒体として荷物の受け渡しを行う装置において、暗証番号による共同ロッカーの荷物の出し入れ及び登録カードによる共同ロッカーでの荷物の出し入れの装置について述べられている。
【０００６】
【発明が解決しようとする課題】
しかし、これら従来技術においては、荷物の集配人を確実に認証できないという第１の問題があった。
【０００７】
また、従来の方法及び方式では、ものの引き渡し及び受取に伴う法律行為を証明する事ができないという第２の問題があった。
【０００８】
更に、従来の方法では、配達を依頼したクライアントに配達される荷物の現在のロケーション情報が伝えられないという第３の問題があった。
【０００９】
本発明の第１の目的は、荷物の集配人の身元を確実に認証できるシステムを提供する事である。
【００１０】
本発明の第２の目的は、日常的に行われるものの引き渡し及び受取に伴う法律行為において、その行為が成された事を証明できるシステムを提供する事である。
【００１１】
本発明の第３の目的は、配達を依頼したクライアントに配達される荷物の現在のロケーション情報が適時自動的に及び要求により、伝えられるシステムを提供する事である。
【００１２】
【課題を解決するための手段】
本発明の第１の観点によれば、宅配会社での宅配関連情報を一元管理するオーガニゼーション・サーバと全世界において所定領域をカバーするドメイン・サーバ群と各ドメイン・サーバに管理される集配端末群と不特定多数のクライアント端末群とが通信網を介して接続されるシステムにおいて、前記オーガニゼーション・サーバは、前記不特定多数のクライアント端末群からの荷物の配達依頼メッセージを受信する手段と、前記クライアント端末群から配達依頼に関する情報を収集する手段と、前記情報内の要求セキュリティレベル、要求集配日と時刻、要求配達日と時刻、要求損害賠償要求額等から配達料金を算出し、前記クライアントに通知する手段と、前記クライアント端末と配達料金等についてネゴシエーションする手段と、前記ネゴシエーションで前記クライアントと合意した場合、配達依頼のクライアント端末に配達荷物の受取人を認証する為の割り符情報を発行する手段と、前記発行された割り符情報を配達依頼のクライアント毎に記憶部に登録する手段と、前記発行された割り符情報を前記配達依頼のクライアント端末に送信する手段と、前記配達依頼のクライアントからの前記配達依頼に関する情報内の配達宛先のクライアントに対し、配達人と配達される荷物とを認証する為の割り符情報を発行する手段と、前記発行された割り符情報を前記配達依頼のクライアント毎に記憶部に登録する手段と、前記発行された割り符情報を前記配達宛先クライアントのメールアドレスに送信する手段と、前記情報内の前記配達宛先クライアントのアドレス情報と、前記配達依頼のクライアントのアドレス情報とから最適な配送ルートを選定する手段と、前記配達依頼のクライアント及び前記配達宛先のクライアントのアドレス領域をカバーする各々の前記ドメイン・サーバに対し、管理下の集配人群から前記配達依頼のクライアントと前記配達宛先のクライアントに荷物の集配を行う最適な担当を各々アサインすることを指示する手段と、各々の前記ドメイン・サーバから前記配達依頼のクライアントから荷物を受け取る集配人と前記配達荷物の配達宛先のクライアントに荷物を引き渡す集配人の情報を各々受信する手段と、各々の前記ドメイン・サーバを介して、各々の前記集配端末に対し、前記配達依頼のクライアントを認証する為の割り符と前記配達荷物を引き渡すクライアントを認証する為の割り符を発行する手段と、前記発行された割り符情報を配達依頼のクライアント毎に記憶部に登録する手段と、前記発行された割り符情報を前記各々の集配端末に対し送信する手段と、を備え、前記ドメイン・サーバは、前記オーガニゼーション・サーバから前記配達依頼のクライアントのアドレスと前記集配指定日と前記時刻情報とから、前記荷物の集配を行う最適な担当をアサインすることを指示された場合、前記管理下の集配人群の集配ルートから、集配に最適な前記集配人を選定する手段と、前記オーガニゼーション・サーバから発行された前記集配人宛の割り符情報を管理・中継し、前記集配端末に送信する手段と、前記集配端末に前記配達依頼のクライアントのアドレスと集配指定日と時刻情報を管理し、前記集配端末に送信する手段と、前記オーガニゼーション・サーバから前記配達依頼のクライアントからの配達依頼情報内の配達宛先のクライアントのアドレスと配達指定日と時刻情報とから、荷物の配達を行う最適な担当をアサインすることを指示された場合、前記管理下の前記集配人群の配達ルートから、配達に最適な前記集配人を選定する手段と、前記オーガニゼーション・サーバから発行された前記配達人宛の割り符情報を管理・中継し、前記集配端末に送信する手段と、前記集配端末に前記配達依頼の宛先クライアントのアドレスと配達指定日と時刻情報を管理し、前記集配端末に送信する手段と、前記送信情報から各集配端末で行った最適集配ルートとスケジュール情報を各集配端末から受信・管理する手段と、を備え、前記集配端末は、前記ドメイン・サーバから前記配達依頼のクライアントのアドレスと集配指定日と時刻情報と割り符情報を受信する手段と、前記受信情報から最適集配ルートとスケジュールを作成・管理し、前記ドメイン・サーバに報告する手段と、前記ドメイン・サーバから前記配達依頼の前記クライアントの前記配達依頼情報内の配達宛先アドレスと配達指定日と時刻情報と前記割り符情報を受信する手段と、前記受信情報から最適集配ルートとスケジュールを作成・管理し、前記ドメイン・サーバに報告する手段と、を備え、前記クライアント端末群は、前記オーガニゼーション・サーバに対し荷物の配達依頼メッセージを送信する手段と、前記オーガニゼーション・サーバに対し荷物の配達依頼の詳細な要求事項をWWWブラウザを介して送信する手段と、前記オーガニゼーション・サーバから前記配達依頼情報に基づく見積もり情報を受信する手段と、前記見積もりに対し、前記オーガニゼーション・サーバとネゴシエーションする手段と、前記オーガニゼーション・サーバから発行・送信された、配達荷物の引き取り人又は配達荷物の配達人を認証する為の割り符情報を受信・管理する手段と、を備える事を特徴とするデジタル割り符を使用した運送サービスシステムが提供される。
【００１３】
上記デジタル割り符を使用した運送サービスシステムにおいて、前記オーガニゼーション・サーバが、配送に最適なルートを選定時、各中継ノードを管理するドメイン・サーバと集配端末に対し、前記配達依頼のクライアント毎に配達荷物のID番号と、バーコードを用いた割り符情報を生成する手段と、記発行された割り符情報を前記配達依頼のクライアント毎に記憶部に登録する手段と、前記発行された割り符情報を前記各中継ノードを管理するドメイン・サーバと集配端末に送信する手段と、前記配達依頼のクライアント毎に集配した前記配達荷物の前記ID番号と前記バーコードとを前記配達依頼のクライアント毎に一元管理記憶する記憶部に登録する手段と、前記各中継ノード通過時、前記各中継ノードを管理する前記ドメイン・サーバからの通過日時と通過地点を含むロケーション情報を受信し、前記記憶部に登録された前記ID番号で管理されている荷物のロケージョン履歴情報を前記記憶部に更新・登録する手段と、前記配達依頼のクライアントに対し前記ロケーション情報を自動的にメール送信する手段と、前記配達依頼のクライアント端末から、前記配達依頼した荷物の現時点でのロケーション情報の問い合わせに対し、前記配達依頼のクライアント毎の各荷物のID番号で前記記憶部を検索し、前記各荷物のロケーション情報を前記配達依頼のクライアント端末に返信する手段と、を備え、前記ドメイン・サーバは、前記バーコードから次の中継ノードを判定する手段と、前記バーコードに指定された前記ルート上の各中継ノードを通過した場合、その旨を前記オーガニゼーション・サーバに報告する手段と、を備える事を特徴とするデジタル割り符を使用した運送サービスシステムであってもよい。
【００１４】
上記デジタル割り符を使用した運送サービスシステムは、前記オーガニゼーション・サーバは、前記配達宛先クライアントから前記送付された割り符情報で配達の前記集配人と前記配達品を認証した事の通知を受信した場合、前記発行した全ての割り符情報を記憶部から無効とする手段と、を備え、前記配達依頼された荷物の受取人であるクライアント端末は、前記配達依頼された荷物に添付された前記配達依頼したクライアントの割り符情報と前記集配人宛の割り符情報と前記配達人宛の割り符情報から前記配達依頼された荷物の配達人と前記配達依頼された荷物とを認証する手段と、前記認証が完了した場合、前記配達依頼された荷物の受取人であるクライアント端末は、その旨前記割り符発行メールの返信メールで前記オーガニゼーション・サーバにその旨通知する手段と、を備えてもよい。
【００１５】
本発明の第２の観点によれば、不特定多数のクライアント端末と集配端末群と中継ノード端末群が通信網を介して接続され、宅配会社での宅配関連情報を一元管理して、デジタル割り符を使用した運送サービスを提供する装置おいて、前記装置は、前記不特定多数のクライアント端末群からの荷物の配達依頼メッセージを受信する手段と、前記クライアント端末群から配達依頼に関する情報を収集する手段と、前記情報内の要求セキュリティレベル、要求集配日と時刻、要求配達日と時刻、要求損害賠償要求額等から配達料金を算出し、前記クライアントに通知する手段と、前記クライアント端末と配達料金等についてネゴシエーションする手段と、前記ネゴシエーションで前記クライアントと合意した場合、配達依頼のクライアント端末に配達荷物の受取人を認証する為の割り符情報を発行する手段と、前記発行された割り符情報を配達依頼のクライアント毎に記憶部に登録する手段と、前記発行された割り符情報を前記配達依頼のクライアント端末に送信する手段と、前記配達依頼のクライアントからの前記配達依頼に関する情報内の配達宛先のクライアントに対し、配達人と配達される荷物とを認証する為の割り符情報を発行する手段と、前記発行された割り符情報を前記配達依頼のクライアント毎に記憶部に登録する手段と、前記発行された割り符情報を前記配達宛先クライアントのメールアドレスに送信する手段と、前記情報内の前記配達宛先クライアントのアドレス情報と、前記配達依頼のクライアントのアドレス情報とから最適な配送ルートを選定する手段と、前記最適な配送ルートから、前記集配端末に対し、前記配達依頼のクライアントを認証する為の割り符と前記配達荷物を引き渡すクライアントを認証する為の割り符を発行する手段と、前記発行された割り符情報を配達依頼のクライアント毎に記憶部に登録する手段と、前記発行された割り符情報を前記各々の集配端末に対し送信する手段と、前記配達宛先クライアントから前記送付された割り符情報で、配達の前記集配人と前記配達品を認証した事の通知を受信した場合、前記発行した全ての割り符情報を記憶部から無効とする手段と、を備えることを特徴とするデジタル割り符を使用した運送サービス提供装置装置が提供される。
【００１６】
本発明の第３の観点によれば、不特定多数のクライアント端末と集配端末群と中継ノード端末群が通信網を介して接続され、宅配会社での宅配関連情報を一元管理して、デジタル割り符を使用した運送サービスを提供する方法おいて、前記方法は、前記不特定多数のクライアント端末群からの荷物の配達依頼メッセージを受信するステップと、
前記クライアント端末群から配達依頼に関する情報を収集するステップと、前記情報内の要求セキュリティレベル、要求集配日と時刻、要求配達日と時刻、要求損害賠償要求額等から配達料金を算出し、前記クライアントに通知するステップと、前記クライアント端末と配達料金等についてネゴシエーションするステップと、前記ネゴシエーションで前記クライアントと合意した場合、配達依頼のクライアント端末に配達荷物の受取人を認証する為の割り符情報を発行するステップと、前記発行された割り符情報を配達依頼のクライアント毎に記憶部に登録するステップと、前記発行された割り符情報を前記配達依頼のクライアント端末に送信するステップと、前記配達依頼のクライアントからの前記配達依頼に関する情報内の配達宛先のクライアントに対し、配達人と配達される荷物とを認証する為の割り符情報を発行するステップと、前記発行された割り符情報を前記配達依頼のクライアント毎に記憶部に登録するステップと、前記発行された割り符情報を前記配達宛先クライアントのメールアドレスに送信するステップと、前記情報内の前記配達宛先クライアントのアドレス情報と、前記配達依頼のクライアントのアドレス情報とから最適な配送ルートを選定するステップと、前記最適な配送ルートから、前記集配端末に対し、前記配達依頼のクライアントを認証する為の割り符と前記配達荷物を引き渡すクライアントを認証する為の割り符を発行するステップと、前記発行された割り符情報を配達依頼のクライアント毎に記憶部に登録するステップと、前記発行された割り符情報を前記各々の集配端末に対し送信するステップと、前記配達宛先クライアントから前記送付された割り符情報で、配達の前記集配人と前記配達品を認証した事の通知を受信した場合、前記発行した全ての割り符情報を記憶部から無効とするステップと、を備えることを特徴とするデジタル割り符を使用した運送サービス提供方法が提供される。
【００１７】
本発明の第４の観点によれば、不特定多数のクライアント端末と集配端末群と中継ノード端末群が通信網を介して接続され、宅配会社での宅配関連情報を一元管理して、デジタル割り符を使用した運送サービスを提供する方法おいて、前記方法は、前記不特定多数のクライアント端末群からの荷物の配達依頼メッセージを受信するステップと、前記クライアント端末群から配達依頼に関する情報を収集するステップと、前記情報内の要求セキュリティレベル、要求集配日と時刻、要求配達日と時刻、要求損害賠償要求額等から配達料金を算出し、前記クライアントに通知するステップと、前記クライアント端末と配達料金等についてネゴシエーションするステップと、前記ネゴシエーションで前記クライアントと合意した場合、配達依頼のクライアント端末に配達荷物の受取人を認証する為の割り符情報を発行するステップと、前記発行された割り符情報を配達依頼のクライアント毎に記憶部に登録するステップと、前記発行された割り符情報を前記配達依頼のクライアント端末に送信するステップと、前記配達依頼のクライアントからの前記配達依頼に関する情報内の配達宛先のクライアントに対し、配達人と配達される荷物とを認証する為の割り符情報を発行するステップと、前記発行された割り符情報を前記配達依頼のクライアント毎に記憶部に登録するステップと、前記発行された割り符情報を前記配達宛先クライアントのメールアドレスに送信するステップと、前記情報内の前記配達宛先クライアントのアドレス情報と、前記配達依頼のクライアントのアドレス情報とから最適な配送ルートを選定するステップと、前記最適な配送ルートから、前記集配端末に対し、前記配達依頼のクライアントを認証する為の割り符と前記配達荷物を引き渡すクライアントを認証する為の割り符を発行するステップと、前記発行された割り符情報を配達依頼のクライアント毎に記憶部に登録するステップと、前記発行された割り符情報を前記各々の集配端末に対し送信するステップと、前記配達宛先クライアントから前記送付された割り符情報で、配達の前記集配人と前記配達品を認証した事の通知を受信した場合、前記発行した全ての割り符情報を記憶部から無効とするステップと、を備えることを特徴とするデジタル割り符を使用した運送サービス提供方法をコンピュータに実行させるためのプログラムが提供される。
【００１８】
【発明の実施の形態】
本発明での第１の実施の形態について、システムの構成概念を示した図１のシステム概念図とクライアントからの依頼の受付に伴う動作について図３を用いて説明する。
【００１９】
図１において、運送会社１００（オーガニゼーション）は、宅配関連情報を一元的に管理するオーガニゼーションCAサーバ１０１と世界中の所定の領域をカバーするドメインCAサーバと各ドメインCAサーバにより、管理される集配人が携帯して使用する集配端末群から構成され、それらは、相互に通信（有線及び無線）する手段を備えている。
【００２０】
運送会社（宅配業者）に運送を依頼するクライアントAは、通信機能を備えた端末１１０及び１１１から、オーガニゼーションCAサーバにインターネット等を介してアクセスし（S３１０）、オーガニゼーションCAサーバからの返信メール（S３１１）にハイパーリンクされた運送依頼書を開くことにより、自動的にWWWブラウザが起動され運送依頼書の入力画面が表示される（S３１３）。
【００２１】
クライアントAは、この入力画面に依頼者名、依頼者住所、依頼者メールアドレス、電話番号、送付宛先名（クライアントX）、宛先住所、宛先メールアドレス、宛先電話番号、送付物品種別、大きさ、重量、セキュリティレベル、損害賠償額（輸送に伴う事故の場合での）、集配日時、配達日時等を入力し、オーガニゼーションCAサーバに送信する（S３１４）。
【００２２】
オーガニゼーションCAサーバでは、依頼要件から料金を算出し、入力画面に表示する（S３１３）。
【００２３】
料金の交渉は、入力画面での各種オプション（セキュリティレベル、損害賠償額等）を再入力する事で、再度料金が表示されるので、何度かオプションを変更し、満足できる条件と提示料金で合意されるまで繰り返される。
【００２４】
合意されるとオーガニゼーションCAサーバから依頼クライアントAの端末に集配人認証のための割り符情報を送信（S３２０）及び依頼人の住所を所管しているドメインCAサーバに最適な集配人Wを選定させ、クライアントAが集配人Wを認証するための割り符をドメインCAサーバ経由で集配人Wの集配端末に送信する（S３２１）。
【００２５】
また、依頼情報内容からオーガニゼーションCAサーバでは、最適な輸送ルートを選定し、経由ノードを管理しているドメインCAサーバ群にバーコードを添付した情報と輸送品のID番号を送信する（S３２２）と共に宛先クライアントXに対し、配達人と配達品の認証の為の割り符を送信する（S３２３）。
【００２６】
本発明での第２の実施の形態について、サーバの機能構成と機能の関連を示した機能構成図２を用いて説明する。
【００２７】
クライアント通信履歴記憶部２００は、クライアントとの通信の内容をクライアント毎に記憶する機能である。
【００２８】
入力画面及び受付情報入力受信機能２０１は、クライアントからの集配の依頼があった場合、依頼内容情報を受信する為の入力画面とハイパーリンクしたメールを送信し、入力画面から依頼内容情報を受信する機能である。
【００２９】
クライアント及び集配端末割り符発行・登録機能２０２は、集配依頼のクライアント、クライアントから荷物を受け取る集配人、送付宛先クライアント及び送付宛先クライアントに配達する集配人に対し、相互に相手を認証する為の割り符を発行し、X.５０９ディレクトリ記憶部にクライアント毎に登録する機能である。
【００３０】
尚、ここでの割り符の例としては数値情報等があり、２進数のビット列による数値情報を使用した場合においては、集配依頼のクライアントに発行した割り符として、ある２進数のビット列による数値情報と荷物を受け取る集配人に発行した割り符としての別のある２進数のビット列による数値情報とで論理和又は論理積により算出した値が必ずある所定の値（例えば、クライアントからの荷物のＩＤ番号等）となる事により認証が行われ、各中継ハブ（ノード、ドメインＣＡサーバ）での割り符も同様にある所定の２進数のビット列による数値情報から成り、荷物の引き取りを行った集配人の割り符（所定２進数のビット列による数値情報）が運送荷物に添付されるので、各中継ハブ（ノード、ドメインＣＡサーバ）での割り符（所定２進数のビット列による数値情報）と集配人の割り符情報とで論理和又は論理積により算出された数値が各荷物のＩＤ番号×中継通過数となる割り符（所定２進数のビット列による数値情報等）により、認証する方法であっても良い。
【００３１】
又、宛先のクライアントにおける認証の為の割り符も同様であってもよい。
【００３２】
最適ルート選定機能２０３は、送信元アドレス情報と送信宛先アドレスとから指定日時に配達可能な最適ルートとその中継ノード（ドメインCAサーバ又はハブ）を選定する機能である。
【００３３】
ドメインCAサーバ通信履歴記憶部２１０は、ドメインCAサーバとの通信内容の履歴をドメインCAサーバ毎に記憶する機能である。
【００３４】
ドメインサーバ割り符発行機能２１１とバーコード発行機能２１２とは、輸送ルートでのハブ（ノード又はドメインCAサーバ）において、集配人からの集荷荷物をバーコードにより、次のハブ（ノード又はドメインCAサーバ）宛毎に仕分・集計し、最適な便で送る機能に使用され又通過した中継点のハブ（ノード又はドメインCAサーバ）で運送品の依頼クライアント毎のID番号と割り符情報を認証・確認する為にも使われるバーコード及び通行割り符を発行する機能と生成されたバーコードと割り符情報をX.５０９ディレクトリ記憶部４００に登録し、依頼クライアントからの荷物を受け取る集配端末と各中継ハブ（ノード又はドメインCAサーバ）に送信する機能である。
【００３５】
ドメインサーバ割り符認証機能３００は、各依頼クライアントの荷物毎に発行された通行割り符で指定されたルートのハブ（ノード又はドメインCAサーバ）で逐次認証を行う機能である。
【００３６】
ドメインサーバ中継通過報告機能３０１は、指定されたルートのハブ（ノード又はドメインCAサーバ）で依頼クライアント毎の荷物のID番号とバーコードと通行割り符による認証の報告を指定されたルートのハブ（ノード又はドメインCAサーバ）からオーガニゼーションCAサーバに報告する機能である。
【００３７】
X.５０９ディレクトリ記憶部４００は、割り符情報、バーコード情報、通行割り符情報、最適ルート情報、中継ハブ（ノード又はドメインCAサーバ）情報、荷物ID番号、認証結果情報、通過履歴情報等を依頼クライアント毎の依頼荷物毎にオーガニゼーションCAサーバで一元的に管理記憶する機能であるが、ドメインCAサーバにその管理範囲の情報を部分的に分散管理する。
【００３８】
クライアント荷物ロケーション通知機能５００は、中継ハブ（ノード又はドメインCAサーバ）からの依頼クライアント毎の依頼荷物毎の認証・通過情報の報告を受けると自動的に依頼クライアントにその旨の通知を行うと共に依頼クライアントからの問い合わせメールに対し、返信メールでロケーション情報を通知する機能である。
【００３９】
第３の実施の形態について、動作シーケンスを示した図３と図４のシーケンス図を用いて説明する。
【００４０】
図３において、クライアントAはオーガニゼーションCAサーバに運送依頼のメールを送信する（S３１０）、オーガニゼーションCAサーバは運送依頼の入力画面頁をハイパーリンクした返信メール（S３１１）を送り、クライアントAが入力画面頁を開くとWWWブラウザが自動的に起動され、入力画面頁の要求（S３１２）をオーガニゼーションCAサーバに送り、入力画面頁情報を取り込む（S３１３）、クライアントAは、入力画面に運送依頼の詳細な内容を入力するとその情報はオーガニゼーションCAサーバに取り込まれ（S３１４）、料金等が画面に表示される。
【００４１】
クライアントAは、提示料金に不満の場合、入力画面の入力値を変更し、納得のいく料金とサービスとを設定する。
【００４２】
設定が完了するとオーガニゼーションCAサーバからクライアントAに荷物の受け取り人を認証する為の割り符情報が送られ（S３２０）、送付先クライアントXとAとのアドレス情報から、指定日時に配達可能となる最適ルートが設定され、中継ハブ（ノード又はドメインCAサーバ）が決められる。
【００４３】
オーガニゼーションCAサーバは、中継ハブ群（ノード又はドメインCAサーバ）に依頼クライアント毎荷物毎のID番号と通行割り符情報を送信し（S３２２）、クライアントXに荷物を配達する集配人を認証するための受け取り割り符情報を送信する（S323）。
【００４４】
次に図４において、集配人はクライアントAが指定した日時にクライアントAを訪問し（S４１０）、クライアントAは、集配人の割り符とクライアントAの割り符により集配人を認証し、集配人が持参した荷物ID番号、バーコードと集配人の割り符情報（S411）を各荷物に貼り付け、荷物を受け取り、集配の中継ハブ（ノード又はドメインCAサーバ）に運ぶ（S４１２）。
【００４５】
中継ハブ（ノード又はドメインCAサーバ）では、荷物ID番号、バーコードと集配人の割り符情報と各中継ハブ（ノード又はドメインCAサーバ）に発行されている通行割り符情報により、認証・確認し、その結果をオーガニゼーションCAサーバに報告する（S４２０）とオーガニゼーションCAサーバは、クライアントAに自動的にロケーション情報を送信する（S４２１）。
【００４６】
クライアントXに届ける集配人は、指定日時にクライアントXに依頼荷物を運び込み（S440）、クライアントXと集配人はお互いの割り符情報により、お互いを認証し、荷物に添付された割り符情報とクライアントXの割り符情報とから荷物の認証・確認を行う。
【００４７】
クライアントXは、全ての認証が終了した時、オーガニゼーションCAサーバにその旨のメールを送信する（S４５０）とオーガニゼーションCAサーバでは、クライアントAとその依頼荷物に関する全ての割り符情報を無効とする。
【００４８】
【発明の効果】
本発明の第１の効果は、確実に荷物の授受の相手を相互に認証・確認できることである。
【００４９】
本発明の第２の効果は、荷物の授受等の法律行為を証明する事ができることである。
【００５０】
本発明の第３の効果は、依頼した荷物の最新の状況が常に自動的に通知される事である。
【００５１】
本発明の第４の効果は、依頼荷物の最新の状況と現時点までの経過情報をクライアントの要求に応じて提供できることである。
【００５２】
本発明の第５の効果は、不測事態においても荷物の輸送履歴情報から不測事態の原因を追求できることである。
【図面の簡単な説明】
【図１】本発明のシステムの構成を示したシステム概念図である。
【図２】本発明のシステムの機能構成と各機能間の関連を示した機能構成図である。
【図３】本発明の各システム構成要素間での動作を示したシーケンス図である。
【図４】本発明の各システム構成要素間での動作を示したシーケンス図である。
【符号の説明】
１００    運送会社（オーガニゼーション）
１０１    オーガニゼーションCAサーバ
１０２    ドメインCAサーバA
１０３    ドメインCAサーバX
１０４    集配端末A1
１０５    集配端末AN
１０６    集配端末X1
１０７    集配端末XN
１１０    クライアント端末KO1
１１１    クライアント端末KON
２００    クライアント通信履歴記憶部
２０１    入力画面及び受付情報入力受信機能
２０２    クライアント及び集配端末割り符発行・登録機能
２０３    最適ルート選定機能
２１０    ドメインCAサーバ通信履歴記憶部
２１１    ドメインサーバ割り符発行機能
２１２    バーコード発行機能
３００    ドメインサーバ割り符認証機能
３０１    ドメインサーバ中継通過報告機能
４００    X.５０９ディレクトリ記憶部
５００    クライアント荷物ロケーション通知機能
６００    送受信機能
【図１】
0003637004.tif 000002
【図２】
0003637004.tif 000003
【図３】
0003637004.tif 000004
【図４】
0003637004.tif 000005